(57)【要約】      （修正有）【課題】製作、移動しやすく、景観的に美しい環境保護型模造植物の工芸装飾籬を提供する。【解決手段】格子からなる網１及び葉２を含む。プラスチック縄６が、格子毎に、葉２の茎上の穴を通って、１〜４枚の葉２の束を格子に巻き付ける。【選択図】図１
0003159006.tif 000002
【実用新案登録請求の範囲】
【請求項１】
格子からなる網（１）及び葉（２）を含む環境保護型模造植物の工芸装飾籬であって、
所定の前記格子毎に、プラスチック縄（６）が、前記葉の茎上の穴（９）を通って、１〜４枚の前記葉（２）の束を巻き付けることを特徴とする環境保護型模造植物の工芸装飾籬。
【請求項２】
格子からなる網（１）及び葉（２）を含む環境保護型模造植物の工芸装飾籬であって、
縦方向又は横方向の前記格子毎に、プラスチック縄（６）が、葉の茎上の穴（９）を通って、１〜４枚の前記葉（２）の束を巻き付けることを特徴とする環境保護型模造植物の工芸装飾籬。
【請求項３】
縦方向及び横方向の所定の数の前記格子を空けて、縦方向又は横方向の１〜３つの前記格子に１〜３本の多枝藤（３）の茎（１２）が縦方向又は横方向にさらに巻き付けられることを特徴とする請求項１又は請求項２に記載の工芸装飾籬。
【請求項４】
前記網が、ＰＥ材料で形成され、
前記格子が、横方向の細長い部材（４）及び縦方向の細長い部材（５）からなり、正四角形の形状を呈し、
前記プラスチック縄（６）が、前記葉（２）の束を、横方向の前記部材（４）又は縦方向の前記部材（５）に巻き付け、
前記多枝藤（３）の茎（１２）が、横方向の前記部材（４）又は縦方向の前記部材（５）に巻き付いている
ことを特徴とする請求項１〜３の何れの１項に記載の工芸装飾籬。
【請求項５】
前記網が、ＰＥ材料で形成され、
前記格子が、三角形、円形、菱形、又は５角形以上の多辺形の形状を呈し、
前記プラスチック縄（６）が、隣接する前記格子間の接続部を介して前記葉（２）の束を縦方向に又は横方向に前記格子に巻き付け、
前記多枝藤（３）の茎（１２）が、隣接する前記格子間の接続部に巻き付いている
ことを特徴とする請求項１〜３の何れの１項に記載の工芸装飾籬。
【請求項６】
前記葉（２）が、扇子形、円形、楕円形、楓葉形、又は蓮葉形を呈し、抗紫外線的ポリエステル系繊維生地で形成され、
前記葉（２）の葉柄（７）が、ＰＶＣ材料で形成される
ことを特徴とする請求項１〜５の何れの１項に記載の工芸装飾籬。
【請求項７】
前記多枝藤（３）が、茎（１２）と、枝（１３）及び枝（１３）に付いている藤の葉（８）を含み、樹状を成し、
前記茎（１２）及び枝（１３）が、ＰＶＣ材料のみで、又は、ワイヤを中に含んでいるＰＶＣ材料で形成され、
前記藤の葉（８）が、扇子形、円形、楕円形、楓葉形、又は蓮葉形を呈し、抗紫外線的ポリエステル系繊維生地で形成される
ことを特徴とする請求項１〜６の何れの１項に記載の工芸装飾籬。
【考案の詳細な説明】
【技術分野】
【０００１】
本考案は、装飾籬に関し、特に、園芸或いは庭園装飾及び日除けのための工芸装飾籬として使用される、環境保護型プラスチックを利用した環境保護型模造植物の編み物に関する。
【背景技術】
【０００２】
籬（フェンス）は、日常生活で園芸或いは庭園装飾及び特定区域の保護に使われる構築物であり、通気性がよく、光がよく漏れ、場所をあまり大きく占めない特徴があり、また田園装飾風格もあり、園芸分野或いは室外装飾の利用者に非常に歓迎されるものである。よく見かける籬は竹や、細長い木或いは金属、及び木の葉或いは布で組み立てられる。このように製作された籬は、腐食に弱く、燃えやすく、虫がつきやすくて、長く雨風に吹きさらされると非常に老化しやすく、使用寿命が短いという問題がある。また、従来の籬は、簡単にくくりつけられたものが多いため、ほとんど固定されて移動しにくく、装飾用に不便である。さらに、従来の籬は、一層しかなく、見た目は非常に構造単純、色彩単調で、立体感が無く、環境保護的でもないという欠点がある。
【考案の概要】
【考案が解決しようとする課題】
【０００３】
本考案は、上述した従来の問題を解決するためになされたもので、装飾と移動に便利で、色合い及び外観が本物の籬に近く、はっきりとした立体感がある、耐腐食性で老化退色しにくく且つ環境保護に有利な模造植物の工芸装飾籬を提供することを目的とする。
【課題を解決するための手段】
【０００４】
本考案に係る環境保護型模造植物の工芸装飾籬は、環境保護タイプのプラスチック製の網、葉、及び、多枝藤で組み立てられる工芸籬である。なお、本明細書のプラスチックとは、抗紫外線国際等級測定基準を満たす、ベークライト・セルロイド・塩化ビニールなどを含む可塑性高分子化合物から目的に応じて選ばれる任意の化合物のことをいう。
【０００５】
本考案に係る環境保護型模造植物の工芸装飾籬（１）は、格子からなる網及び葉を含む環境保護型模造植物の工芸装飾籬であって、所定の前記格子毎に、プラスチック縄が、前記葉の茎上の穴を通って、１〜４枚の前記葉の束を巻き付けることを特徴とする。
【０００６】
また、本考案に係る環境保護型模造植物の工芸装飾籬（２）は、格子からなる網及び葉を含む環境保護型模造植物の工芸装飾籬であって、縦方向又は横方向の前記格子毎に、プラスチック縄が、葉の茎上の穴を通って、１〜４枚の前記葉の束を巻き付けることを特徴とする。
【０００７】
また、本考案に係る環境保護型模造植物の工芸装飾籬（３）は、上記した工芸装飾籬（１）又は工芸装飾籬（２）において、縦方向及び横方向の所定の数の前記格子を空けて、縦方向又は横方向の１〜３つの前記格子に１〜３本の多枝藤が茎（１２）によって縦方向又は横方向にさらに巻き付けられることを特徴とする。
【０００８】
上記環境保護型模造植物の工芸装飾籬（１）〜（３）の何れにおいて、前記網が、ＰＥ材料で形成され、前記格子が、横方向の細長い部材及び縦方向の細長い部材からなり、正四角形の形状を呈し、前記プラスチック縄が、前記葉の束を、横方向の前記部材又は縦方向の前記部材に巻き付け、前記多枝藤の茎が、横方向の前記部材（４）又は縦方向の前記部材（５）に巻き付いている。
【０００９】
または、上記環境保護型模造植物の工芸装飾籬（１）〜（３）の何れにおいて、前記網が、ＰＥ材料で形成され、前記格子が、三角形、円形、菱形、又は５角形以上の多辺形の形状を呈し、前記プラスチック縄が、隣接する前記格子間の接続部を介して前記葉の束を縦方向に又は横方向に前記格子に巻き付け、前記多枝藤の茎が、隣接する前記格子間の接続部に巻き付いている。
【００１０】
さらに、上記の葉が、扇子形、円形、楕円形、楓葉形、又は蓮葉形を呈し、抗紫外線的ポリエステル系繊維生地で形成され、葉の葉柄が、ＰＶＣ材料で形成される。
【００１１】
また、上記の多枝藤（３）が、茎と、枝及び枝に付いている藤の葉を含み、樹状を成し、茎（１２）及び枝（１３）が、ＰＶＣ材料のみで、又は、ワイヤを中に含んでいるＰＶＣ材料で形成され、藤の葉が、扇子形、円形、楕円形、楓葉形、又は蓮葉形を呈し、抗紫外線的ポリエステル系繊維生地で形成される。
【考案の効果】
【００１２】
本考案に係る環境保護型模造植物の工芸装飾籬によれば、製造と取り付けが簡単で、移動がしやすく、且つ、色合いが本物にそっくりで、はっきりした立体感があり、景観的に美しく、適用範囲が広いという効果がある。また、抗紫外線国際等級測定基準を満たしたプラスチックを材料に使用したので、耐腐食性で老化退色しにくく、環境保護に有利であるという効果も得られる。
【図面の簡単な説明】
【００１３】
【図１】本考案の実施の形態１による環境保護型模造植物の工芸装飾籬１０の背面概略図である。
【図２】本考案の実施の形態１による環境保護型模造植物の工芸装飾籬１０の前面概略図である。
【図３】縄６が葉の葉柄７上の穴９を通って葉２を網に巻き付けた様子の拡大図である。
【図４】本考案の実施の形態２による環境保護型模造植物の工芸装飾籬２０の正面概略図である。
【図５】工芸装飾籬２０の側面概略図である。
【図６】多枝藤３の一例を示す図である。
【図７】図３の工芸装飾籬２０から葉２を省略した状態の工芸装飾籬の背面概略図である。
【図８】多枝藤の巻き方の例を示す拡大図である。
【考案を実施するための形態】
【００１４】
以下、本考案に係る実施形態による環境保護型模造植物の工芸装飾籬を、図面を参照しながら、詳細に説明する。
（実施の形態１）
図１、図２は、本実施の形態１による環境保護型模造植物の工芸装飾籬の背面概略図及び前面概略図である。
【００１５】
図１に示すように、本実施の形態１による環境保護型模造植物の工芸装飾籬１０は、格子状の網１、模造植物である葉２、及びプラスチック縄６を備える。
【００１６】
図３は、横方向の部材４と縦方向の部材５とからなる網の格子に、葉２がプラスチップ縄６によって巻き付けられている様子を示す拡大図である。
【００１７】
このように、環境保護型模造植物の工芸装飾籬１０は、無数の葉２が複数本のプラスチック縄６によって格子状の網１に巻き付けられた籬である。前面から見るとき、工芸装飾籬１０は、自然な生け垣のように見える。
【００１８】
次に、図１〜図３を参照して、本工芸装飾籬１０の製作方法を説明する。
【００１９】
まず、ステップ１において、横方向の細長い部材４と縦方向の細長い部材５とを用いて形成される正方形または長方形の格子を有する網１を用意する。ここでは、複数の部材４、５を用意してから網１を組み立ててもよく、また、機械により一体成型加工して部材４、５を有する網１を用意してもよい。
【００２０】
次に、ステップ２において、図３に示すように、それぞれ葉柄７を有する２枚の葉２が一緒に束ねられた葉の束を、例えば、機械による一体成型加工により、用意する。図３の葉の束では、２枚の葉のそれぞれの葉柄７が互いに接続する部位に、穴９が設けられている。通常、葉の束は、好ましくは、１〜４枚の葉２を含み、もちろん、１枚の葉２のみからなるときは、穴９が該１枚の葉の葉柄に設けられる。また、葉２の形は、扇子形、円形、楕円形、楓葉形、或いは蓮葉形など種々の形であることができ、さらに、春の緑、秋の黄、赤など好みの色を有することもできる。
【００２１】
次に、ステップ３において、まず、プラスチック縄6を用意する。用意したプラスチック縄６の一端を網１に固定する。そして、縄6のもう一端は、葉柄７上の小さな穴９を通ってから、１〜４枚の葉２、即ち、葉の束を網１の縦方向の部材５に巻き付ける。１つの葉の束の巻き付けが終わったら、縄６は、次の葉の束の穴９を通って、該葉の束を縦方向の次の格子に巻き付ける。この一連の巻き付けの動作は、例えば、縦方向において網１の下部から上部まで繰り返して行われる。縦方向の一本の縄６の巻き付けが終了すると、横方向に次の格子に移動して、再び、葉の束を縦方向に網１に巻き付ける。このような巻き付けの繰り返しによって、図１及び図２に示す模造植物の工芸装飾籬１０は作製される。
【００２２】
尚、ここに使用される網１の格子を形成する部材４、５は、ＰＥ材料を用い、葉２は、抗紫外線のポリエステル系繊維生地を用い、葉柄７は、ＰＶＣ材料を用いて形成される。
【００２３】
このように、本実施の形態１による環境保護型模造植物の工芸装飾籬は、製造と取り付けが簡単で、移動がしやすいという利点がある。また、籬の色合いが本物の植物にそっくり、はっきりした立体感で、景観的に美しく、適用範囲が広いという利点がある。さらに、抗紫外線国際等級測定基準を満たした材料により作製されるため、耐腐食性で老化劣化しにくく、寿命が長いゆえに、環境保護に有利であると同時に、紫外線輻射も少ないため、人体にも優しいという効果がある。
【００２４】
なお、上記した実施の形態１では、網の格子が正方形または長方形の形状を有する例を挙げて説明したが、格子の形状は、それに限定されず、菱形、三角やそのほかの多角形、又は円などの形状の格子であってもよい。特に、機械により一体成型加工して網１を用意する場合、好みに応じた形状の格子を形成することができる。このとき、葉２を格子に巻き付ける方法には、縄６が隣接格子の交差又は接続する部分を介して、葉２を格子に巻き付けることができる。
【００２５】
また、上記の実施の形態１では、各格子に、即ち、網１全面に葉２を巻き付けることとしたが、必要に応じて、所定のパターンを成すように網のところどころに葉を巻き付けることもできる。
（実施の形態２）
本実施の形態２による環境保護型模造植物の工芸装飾籬は、上述した実施の形態１による工芸装飾籬１０上に、藤の葉８が付けてある多枝藤３を追加したものに対応する。従って、簡潔のために、以下の説明において、実施の形態１と異なる部分のみを説明する。
【００２６】
図４、図５は、それぞれ本実施の形態２による環境保護型模造植物の工芸装飾籬２０の前面概略図及び側面概略図である。
【００２７】
図６は、複数の枝（叉）に分かれる多枝藤３の一例を示す図である。
【００２８】
図７は、多枝藤の巻き方を説明するための、図３の工芸装飾籬２０より葉２を省略した状態の工芸装飾籬の背面を示す図である。
【００２９】
図４及び図５に示すように、本実施の形態２による環境保護型模造植物の工芸装飾籬２０は、葉２がプラスチック縄６によって巻き付けられた網１、即ち、上述の実施の形態１の工芸装飾籬１０の前面に、藤の葉８が多く付いている多枝藤３をさらに備えたものである。
【００３０】
図６の例では、多枝藤３は、３つの枝１３に分かれ、各枝１３には葉８が設けられている。
【００３１】
このような多枝藤３を網１にさらに備えることにより、工芸装飾籬２０は、図４及び図５に示すように、一層の立体感及び装飾感を有するようになる。
【００３２】
次に、本実施の形態２による工芸装飾籬２０の作製方法を、図４〜図８を参照しながら、説明する。
【００３３】
まず、ステップ２１において、上述した実施の形態１に示した工芸装飾籬１０を用意する。
【００３４】
次に、ステップ２２において、図６に示すように、多枝藤３を用意する。多枝藤３は、曲がり得る茎１２、茎１２から分かれる複数の曲がり得る枝１３、及び枝１３に付けている葉８からなり、樹状を成す。但し、目的に応じて、葉のない多枝藤の茎１２だけ、あるいは茎１２と枝１３だけが使用されてもよい。
【００３５】
茎１２及び枝１３は、任意に曲がり得、ＰＶＣ材料を用いて形成され、中にはワイヤを含む。即ち、ワイヤはＰＶＣ材料によって包まれる。また、茎１２及び枝１３は、ＰＶＣ材料のみで形成されることもできる。枝１３の数は、好ましくは１〜３である。葉８は、抗紫外線のポリエステル系繊維生地で製作され、扇子形、円形、楕円形、楓葉形、又は蓮葉形などの好みの形をとることが可能である。葉８の葉柄もＰＶＣ材料で製作される。葉８は、枝１３等と一体成型により形成され、又は、接着剤を用いて接着器によって枝１３に付着される。茎１２、枝１３、及び葉８は、葉２のように、好みの色を取ることができる。
【００３６】
次に、ステップ２３において、図７及び図８（ｂ）に示すように、工芸装飾籬１０の上に、横方向及び縦方向に所定の数の格子を空けて、１〜３本の多枝藤３の茎１２を、１〜３格子に横に巻き付ける。
【００３７】
このような多枝藤３の巻き付けの繰り返しによって、図４及び図５に示す模造植物の工芸装飾籬２０は作製される。
【００３８】
このように、本実施の形態２による環境保護型模造植物の工芸装飾籬は、多枝藤をさらに設けることにより、立体感が一層増して、より本物の植物にそっくりで、美しく感じることができる。さらに、抗紫外線国際等級測定基準を満たした材料により作製されるため、環境保護に有利であると同時に、紫外線輻射も少ないため、人体にも優しいという効果がある。
【００３９】
なお、上記した実施の形態２では、多枝藤３を横方向に格子に巻き付けることとしたが、例えば、図８（ａ）に示すように、縦方向に巻き付け、或いは、必要に応じて、所定のパターンを成すように網のところどころに所定の方向に巻き付けてもよい。
【００４０】
以上では、具体的な実施例をもって本考案を説明したが、本考案は、それらに限定されるものではない。当業者なばら、添付の本考案登録請求の範囲内で、上述の実施例に対して置換、変更、或いは追加を行って本考案を実現できることは容易に理解できるであろう。それらの置換、変更、あるいは追加も、本実用新案登録請求の範囲内に属すると意図されている。
【符号の説明】
【００４１】
１  網
２  葉
３  多枝藤
４  横方向の部材
５  縦方向の部材
６  プラスチック縄
７  葉柄
８  藤の葉
９  穴
１０、２０  環境保護型模造植物の工芸装飾籬
１２  茎
１３  枝
【図１】
0003159006.tif 000003
【図２】
0003159006.tif 000004
【図３】
0003159006.tif 000005
【図４】
0003159006.tif 000006
【図５】
0003159006.tif 000007
【図６】
0003159006.tif 000008
【図７】
0003159006.tif 000009
【図８】
0003159006.tif 000010
【手続補正書】
【提出日】平成22年1月25日(2010.1.25)
【手続補正１】
【補正対象書類名】実用新案登録請求の範囲
【補正対象項目名】全文
【補正方法】変更
【補正の内容】
【実用新案登録請求の範囲】
【請求項１】
格子からなる網（１）及び葉（２）を含む環境保護型模造植物の工芸装飾籬であって、
所定の前記格子毎に、プラスチック縄（６）が、前記葉の茎上の穴（９）を通って、１〜４枚の前記葉（２）の束を前記格子に巻き付けることを特徴とする環境保護型模造植物の工芸装飾籬。
【請求項２】
格子からなる網（１）及び葉（２）を含む環境保護型模造植物の工芸装飾籬であって、
縦方向又は横方向の前記格子毎に、プラスチック縄（６）が、葉の茎上の穴（９）を通って、１〜４枚の前記葉（２）の束を前記格子に巻き付けることを特徴とする環境保護型模造植物の工芸装飾籬。
【請求項３】
縦方向及び横方向の所定の数の前記格子を空けて、縦方向又は横方向の１〜３つの前記格子に１〜３本の多枝藤（３）の茎（１２）が縦方向又は横方向にさらに巻き付けられることを特徴とする請求項１又は請求項２に記載の工芸装飾籬。
【請求項４】
前記網が、ＰＥ材料で形成され、
前記格子が、横方向の細長い部材（４）及び縦方向の細長い部材（５）からなり、正四角形の形状を呈し、
前記プラスチック縄（６）が、前記葉（２）の束を、横方向の前記部材（４）又は縦方向の前記部材（５）に巻き付け、
前記多枝藤（３）の茎（１２）が、横方向の前記部材（４）又は縦方向の前記部材（５）に巻き付いている
ことを特徴とする請求項３に記載の工芸装飾籬。
【請求項５】
前記網が、ＰＥ材料で形成され、
前記格子が、三角形、円形、菱形、又は５角形以上の多辺形の形状を呈し、
前記プラスチック縄（６）が、隣接する前記格子間の接続部を介して前記葉（２）の束を縦方向に又は横方向に前記格子に巻き付け、
前記多枝藤（３）の茎（１２）が、隣接する前記格子間の接続部に巻き付いている
ことを特徴とする請求項３に記載の工芸装飾籬。
【請求項６】
前記葉（２）が、扇子形、円形、楕円形、楓葉形、又は蓮葉形を呈し、抗紫外線的ポリエステル系繊維生地で形成され、
前記葉（２）の葉柄（７）が、ＰＶＣ材料で形成される
ことを特徴とする請求項３〜５の何れか１項に記載の工芸装飾籬である。
【請求項７】
前記多枝藤（３）が、茎（１２）と、枝（１３）及び枝（１３）に付いている藤の葉（８）を含み、樹状を成し、
前記茎（１２）及び枝（１３）が、ＰＶＣ材料のみで、又は、ワイヤを中に含んでいるＰＶＣ材料で形成され、
前記藤の葉（８）が、扇子形、円形、楕円形、楓葉形、又は蓮葉形を呈し、抗紫外線的ポリエステル系繊維生地で形成される
ことを特徴とする請求項３〜６の何れか１項に記載の工芸装飾籬。
【手続補正２】
【補正対象書類名】明細書
【補正対象項目名】０００５
【補正方法】変更
【補正の内容】
【０００５】
本考案に係る環境保護型模造植物の工芸装飾籬（１）は、格子からなる網及び葉を含む環境保護型模造植物の工芸装飾籬であって、所定の前記格子毎に、プラスチック縄が、前記葉の茎上の穴を通って、１〜４枚の前記葉の束を前記格子に巻き付けることを特徴とする。
【手続補正３】
【補正対象書類名】明細書
【補正対象項目名】０００６
【補正方法】変更
【補正の内容】
【０００６】
また、本考案に係る環境保護型模造植物の工芸装飾籬（２）は、格子からなる網及び葉を含む環境保護型模造植物の工芸装飾籬であって、縦方向又は横方向の前記格子毎に、プラスチック縄が、葉の茎上の穴を通って、１〜４枚の前記葉の束を前記格子に巻き付けることを特徴とする。
【手続補正４】
【補正対象書類名】明細書
【補正対象項目名】０００８
【補正方法】変更
【補正の内容】
【０００８】
上記環境保護型模造植物の工芸装飾籬（３）において、前記網が、ＰＥ材料で形成され、前記格子が、横方向の細長い部材及び縦方向の細長い部材からなり、正四角形の形状を呈し、前記プラスチック縄が、前記葉の束を、横方向の前記部材又は縦方向の前記部材に巻き付け、前記多枝藤の茎が、横方向の前記部材（４）又は縦方向の前記部材（５）に巻き付いている。
【手続補正５】
【補正対象書類名】明細書
【補正対象項目名】０００９
【補正方法】変更
【補正の内容】
【０００９】
または、上記環境保護型模造植物の工芸装飾籬（３）において、前記網が、ＰＥ材料で形成され、前記格子が、三角形、円形、菱形、又は５角形以上の多辺形の形状を呈し、前記プラスチック縄が、隣接する前記格子間の接続部を介して前記葉の束を縦方向に又は横方向に前記格子に巻き付け、前記多枝藤の茎が、隣接する前記格子間の接続部に巻き付いている。
【手続補正書】
【提出日】平成22年2月23日(2010.2.23)
【手続補正１】
【補正対象書類名】実用新案登録請求の範囲
【補正対象項目名】全文
【補正方法】変更
【補正の内容】
【実用新案登録請求の範囲】
【請求項１】
格子からなる網（１）及び葉（２）を含む環境保護型模造植物の工芸装飾籬であって、
所定の前記格子毎に、プラスチック縄（６）が、前記葉の茎上の穴（９）を通って、１〜４枚の前記葉（２）の束を前記格子に巻き付けることを特徴とする環境保護型模造植物の工芸装飾籬。
【請求項２】
格子からなる網（１）及び葉（２）を含む環境保護型模造植物の工芸装飾籬であって、
縦方向又は横方向の前記格子毎に、プラスチック縄（６）が、葉の茎上の穴（９）を通って、１〜４枚の前記葉（２）の束を前記格子に巻き付けることを特徴とする環境保護型模造植物の工芸装飾籬。
【請求項３】
縦方向及び横方向の所定の数の前記格子を空けて、縦方向又は横方向の１〜３つの前記格子に１〜３本の多枝藤（３）の茎（１２）が縦方向又は横方向にさらに巻き付けられることを特徴とする請求項１又は請求項２に記載の工芸装飾籬。
【請求項４】
前記網が、ＰＥ材料で形成され、
前記格子が、横方向の細長い部材（４）及び縦方向の細長い部材（５）からなり、正四角形の形状を呈し、
前記プラスチック縄（６）が、前記葉（２）の束を、横方向の前記部材（４）又は縦方向の前記部材（５）に巻き付け、
前記多枝藤（３）の茎（１２）が、横方向の前記部材（４）又は縦方向の前記部材（５）に巻き付いている
ことを特徴とする請求項３に記載の工芸装飾籬。
【請求項５】
前記網が、ＰＥ材料で形成され、
前記格子が、三角形、円形、菱形、又は５角形以上の多辺形の形状を呈し、
前記プラスチック縄（６）が、隣接する前記格子間の接続部を介して前記葉（２）の束を縦方向に又は横方向に前記格子に巻き付け、
前記多枝藤（３）の茎（１２）が、隣接する前記格子間の接続部に巻き付いている
ことを特徴とする請求項３に記載の工芸装飾籬。
【請求項６】
前記葉（２）が、扇子形、円形、楕円形、楓葉形、又は蓮葉形を呈し、抗紫外線的ポリエステル系繊維生地で形成され、
前記葉（２）の葉柄（７）が、ＰＶＣ材料で形成される
ことを特徴とする請求項３〜５の何れか１項に記載の工芸装飾籬。
【請求項７】
前記多枝藤（３）が、茎（１２）と、枝（１３）及び枝（１３）に付いている藤の葉（８）を含み、樹状を成し、
前記茎（１２）及び枝（１３）が、ＰＶＣ材料のみで、又は、ワイヤを中に含んでいるＰＶＣ材料で形成され、
前記藤の葉（８）が、扇子形、円形、楕円形、楓葉形、又は蓮葉形を呈し、抗紫外線的ポリエステル系繊維生地で形成される
ことを特徴とする請求項３〜６の何れか１項に記載の工芸装飾籬。